Podtech/llm-jp-corpus-v4-ja_patent huggingface dataset:
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
第１基部、第１方向に沿って前記第１基部と並んで配置されている第２基部、及び前記第１基部と前記第２基部との間に配置され前記第１基部と前記第２基部とを連結している連結部、を含む基部と、
前記第１基部から前記第１方向に向って延出されている振動腕と、
前記振動腕に設けられ、クロム層に金層が積層されている励振電極と、
を含み、
前記クロム層の厚みが１０ｎｍ以上３０ｎｍ以下であり、
平面視で、前記第１方向と交差する第２方向に沿って、前記連結部の幅をｒ、前記第１基部の幅をｅとしたとき、
ｒ／ｅが、２３％以上４０％以下であることを特徴とする振動片。
【請求項２】
請求項１において、
前記金層の厚みが２０ｎｍ以上５０ｎｍ以下であることを特徴とする振動片。
【請求項３】
請求項１又は２において、
前記第２基部は、
前記第１方向に沿って第１幅を有する第１領域と、
前記第１方向に沿って前記第１幅よりも幅の狭い第２幅を有する第２領域と、
を含み、
前記第１基部の前記第１方向に沿った長さ、前記連結部の前記第１方向の沿った長さ、及び前記第１幅の和をｈ、
前記第２幅をＬ３としたとき、
Ｌ３／ｈが、２０％以上４０％以下であることを特徴とする振動片。
【請求項４】
請求項１乃至３のいずれか一項において、
前記第２基部から前記第２方向に沿って延出されている延長部と、
前記延長部に接続され、前記第２方向に沿って前記振動腕と並び、且つ、前記第１方向に沿って延出されている支持用アームと、
を含むことを特徴とする振動片。
【請求項５】
請求項４において、
前記振動片の前記第１方向に沿った長さをａ、
前記支持用アームの前記第１方向に沿った長さをｕとしたとき、
ｕ／ａが、６０％以上８０％以下であることを特徴とする振動片。
【請求項６】
請求項１乃至５のいずれか一項において、
前記振動腕には、前記第１方向に沿って延びている溝が設けられていることを特徴とする振動片。
【請求項７】
請求項６において、
前記振動腕の前記第１方向に沿った長さをＬ１、
前記溝の前記第１方向に沿った長さをｊとしたとき、
ｊ／Ｌ１が、０．５％以上０．７以下であることを特徴とする振動片。
【請求項８】
請求項１乃至７のいずれか一項に記載の振動片と、
前記振動片が搭載されているパッケージと、
を備えていることを特徴とする振動子。
【請求項９】
請求項８において、
前記支持用アームの前記第１方向に沿って並ぶ２つの部位が、接合剤を用いて前記パッケージに固定されていることを特徴とする振動子。
【請求項１０】
請求項１乃至７のいずれか一項に記載の振動片と、
回路と、
を備えていることを特徴とする発振器。
【請求項１１】
請求項１乃至７のいずれか一項に記載の振動片を備えていることを特徴とするセンサー。
【手続補正２】
【補正対象書類名】明細書
【補正対象項目名】０００９
【補正方法】変更
【補正の内容】
【０００９】
上記目的を達成するための本発明のある実施形態に係る振動片は、第１基部、第１方向に沿って前記第１基部と並んで配置されている第２基部、及び前記第１基部と前記第２基部との間に配置され前記第１基部と前記第２基部とを連結している連結部、を含む基部と、前記第１基部から前記第１方向に向って延出されている振動腕と、前記振動腕に設けられ、クロム層に金層が積層されている励振電極と、を含み、前記クロム層の厚みが１０ｎｍ以上３０ｎｍ以下であり、平面視で、前記第１方向と交差する第２方向に沿って、前記連結部の幅をｒ、前記第１基部の幅をｅとしたとき、ｒ／ｅが、２３％以上４０％以下であることを特徴とする。
本発明のある別の実施形態に係る振動片は、前記金層の厚みが２０ｎｍ以上５０ｎｍ以下であることを特徴とする。
本発明のある別の実施形態に係る振動片は、前記第２基部は、前記第１方向に沿って第１幅を有する第１領域と、前記第１方向に沿って前記第１幅よりも幅の狭い第２幅を有する第２領域と、を含み、前記第１基部の前記第１方向に沿った長さ、前記連結部の前記第１方向の沿った長さ、及び前記第１幅の和をｈ、前記第２幅をＬ３としたとき、Ｌ３／ｈが、２０％以上４０％以下であることを特徴とする。
本発明のある別の実施形態に係る振動片は、前記第２基部から前記第２方向に沿って延出されている延長部と、前記延長部に接続され、前記第２方向に沿って前記振動腕と並び、且つ、前記第１方向に沿って延出されている支持用アームと、を含むことを特徴とする。
本発明のある別の実施形態に係る振動片は、前記振動片の前記第１方向に沿った長さをａ、前記支持用アームの前記第１方向に沿った長さをｕとしたとき、ｕ／ａが、６０％以上８０％以下であることを特徴とする。
本発明のある別の実施形態に係る振動子は、前記振動腕には、前記第１方向に沿って延びている溝が設けられていることを特徴とする。
本発明のある別の実施形態に係る振動子は、前記振動腕の前記第１方向に沿った長さをＬ１、前記溝の前記第１方向に沿った長さをｊとしたとき、ｊ／Ｌ１が、０．５％以上０．７以下であることを特徴とする。
本発明のある別の実施形態に係る振動子は、前記振動片と、前記振動片が搭載されているパッケージと、を備えていることを特徴とする。
本発明のある別の実施形態に係る振動子は、前記支持用アームの前記第１方向に沿って並ぶ２つの部位が、接合剤を用いて前記パッケージに固定されていることを特徴とする。
本発明のある別の実施形態に係る発振器は、前記振動片と、回路と、を備えていることを特徴とする。
本発明のある別の実施形態に係るセンサーは、前記振動片を備えていることを特徴とする。
［適用例１］適用例１に係る圧電振動片は、圧電材料により形成された所定長さの基部と、前記基部の一端側から延びる複数の振動腕と、前記基部の一端側より所定距離だけ離れた他端側に接続される連結部と、前記連結部に接続され、圧電振動片の幅方向に延長される接続部と、前記接続部に接続され、かつ前記振動腕の外側において、前記振動腕と同じ方向に延びる支持用アームとを備え、前記基部の前記一端側から、前記圧電振動片の前記振動腕の反対側の一端までの長さ寸法ｈと、前記連結部を介して前記支持用アームが前記基部に接続されている接続部の幅寸法Ｌ３との比率であるＬ３／ｈが、４０％以下とされていることを特徴とする。
【手続補正書】
【提出日】平成25年3月6日(2013.3.6)
【手続補正１】
【補正対象書類名】明細書
【補正対象項目名】発明の名称
【補正方法】変更
【補正の内容】
【発明の名称】撮像装置、撮像方法及びプログラム
【手続補正２】
【補正対象書類名】明細書
【補正対象項目名】０００１
【補正方法】変更
【補正の内容】
【０００１】
本発明は、撮像装置、撮像方法及びプログラムに関する。
【手続補正３】
【補正対象書類名】明細書
【補正対象項目名】０００６
【補正方法】変更
【補正の内容】
【０００６】
本発明は、上記のような実情に鑑みてなされたものであり、ユーザの所望する画質を簡単に設定することが可能な撮像装置、撮像方法及びプログラムを提供することを目的とする。
【手続補正４】
【補正対象書類名】明細書
【補正対象項目名】０００７
【補正方法】変更
【補正の内容】
【０００７】
上記目的を達成するため、本発明の一態様の撮像装置は、
撮像手段と、
前記撮像手段により撮像された画像において、所定の領域の選択操作を受け付ける受付手段と、
前記選択操作によって選択された領域の画像に基づいて、前記撮像手段によって画像を撮像する際の撮影条件を提示する提示手段と、
前記提示手段により提示された撮影条件の中から、選択操作に基づいて選択された撮影条件を現在の撮影条件として設定する設定手段と、
前記設定手段によって設定された撮影条件に従って前記撮像手段の撮像動作を制御する制御手段と、
を備えることを特徴とする。
【手続補正５】
【補正対象書類名】特許請求の範囲
【補正対象項目名】全文
【補正方法】変更
【補正の内容】
【特許請求の範囲】
【請求項１】
撮像手段と、
前記撮像手段により撮像された画像において、所定の領域の選択操作を受け付ける受付手段と、
前記選択操作によって選択された領域の画像に基づいて、前記撮像手段によって画像を撮像する際の撮影条件を提示する提示手段と、
前記提示手段により提示された撮影条件の中から、選択操作に基づいて選択された撮影条件を現在の撮影条件として設定する設定手段と、
前記設定手段によって設定された撮影条件に従って前記撮像手段の撮像動作を制御する制御手段と、
を備えることを特徴とする撮像装置。
【請求項２】
前記撮像手段により撮像された前記画像のデータに基づいて、当該画像に含まれる１種類以上の対象領域を判別する判別手段と、
前記判別手段により判別された前記１種類以上の対象領域のうち、前記選択操作によって選択された領域を含む対象領域を、選択領域として決定する決定手段と、
前記判別手段により判別された前記１種類以上の対象領域に基づいて、前記画像を撮像する際の前記撮像手段の撮影環境を含む撮影状況を判定する判定手段と、
をさらに備え、
前記提示手段は、前記決定手段により決定された前記選択領域、及び、前記判定手段により判定された前記撮影状況に基づいて、前記撮影条件を提示する、
ことを特徴とする請求項１に記載の撮像装置。
【請求項３】
前記判定手段は、前記撮影環境に加えて、付帯条件を判定する
ことを特徴とする請求項２に記載の撮像装置。
【請求項４】
前記判定手段は、
撮影時に角速度センサから送信されたブレ信号を含む撮影状況に応じて前記付帯条件を判定する、
ことを特徴とする請求項３に記載の撮像装置。
【請求項５】
前記判定手段は、
前記撮像手段のズーム倍率に応じて前記付帯条件を判定する、
ことを特徴とする請求項３乃至４の何れか１項に記載の撮像装置。
【請求項６】
撮像装置が実行する撮像方法において、
前記撮像装置により撮像された画像において、所定の領域の選択操作を受け付ける受付ステップと、
前記選択操作によって選択された領域の画像に基づいて、前記撮像装置によって画像を撮像する際の撮影条件を提示する提示ステップと、
前記提示された撮影条件の中から、選択操作に基づいて選択された撮影条件を現在の撮影条件として設定する設定ステップと、
前記設定された撮影条件に従って前記撮像装置の撮像動作を制御する制御ステップと、
を含むことを特徴とする撮像方法。
【請求項７】
撮像装置を制御するコンピュータに、
前記撮像装置により撮像された画像において、所定の領域の選択操作を受け付ける受付機能、
前記選択操作によって選択された領域の画像に基づいて、前記撮像装置によって画像を撮像する際の撮影条件を提示する提示機能、
前記提示された撮影条件の中から、選択操作に基づいて選択された撮影条件を現在の撮影条件として設定する設定機能、
前記設定された撮影条件に従って前記撮像装置の撮像動作を制御する制御機能、
を実現させるためのプログラム。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
送信機と受信機とを備えた無線通信システムであって、
前記送信機は、
タイムスタンプを付したＰＤＵを生成するＰＤＵ生成部と、
前記ＰＤＵにより搬送波を変調して送信アンテナから電波送信する変調送信部と、
当該送信機に予め設定された次の（ａ）の送信遅延時間を自身のローカル時刻に加算して前記タイムスタンプを求める第１の時刻補正部と、を有しており、
前記受信機は、
受信アンテナに到達した電波信号から前記ＰＤＵを取り出す復調受信部と、
前記ＰＤＵからＳＤＵと前記タイムスタンプとを再生するＳＤＵ再生部と、
次の（ｂ）の受信遅延時間と（ｃ）の再生遅延時間との合計値を前記タイムスタンプに加算して補正時刻値を求める第２の時刻補正部と、を有することを特徴とする無線通信システム。
（ａ）  タイムスタンプのセット時から送信アンテナの電波送信時までの送信遅延時間
（ｂ）  電波受信時からＳＤＵ再生部へのプリアンブルの到達時までの受信遅延時間
（ｃ）  ＳＤＵ再生部へのプリアンブルの到達時からタイムスタンプの取得時までの再生遅延時間
【請求項２】
前記第２の時刻補正部は、自身のローカル時刻を前記補正時刻値に合わせる請求項１に記載の無線通信システム。
【請求項３】
前記第２の時刻補正部は、自身のローカル時刻と前記補正時刻値とのずれが所定の閾値以上であるか否かを判定し、この判定結果が肯定的であることを条件として、自身のローカル時刻を前記補正時刻値に合わせる請求項２に記載の無線通信システム。
【請求項４】
前記第２の時刻補正部は、自身のローカル時刻と前記補正時刻値とのずれが所定の閾値以上であるか否かを判定し、この判定結果が肯定的である場合に、前記送信機又は前記受信機若しくはこれらの双方についての異常発生時の対応処理を実行する請求項１〜３のいずれか１項に記載の無線通信システム。
【請求項５】
前記第２の時刻補正部は、自身のローカル時刻を前記補正時刻値に合わせた後に、更に前記判定結果が肯定的である場合に、前記送信機又は前記受信機若しくはこれらの双方についての異常発生時の対応処理を実行する請求項４に記載の無線通信システム。
【請求項６】
前記送信機と前記受信機にＯＦＤＭによる変復調方式が採用されており、
前記所定の閾値はＯＦＤＭ変調波のガードインターバルに設定されている請求項３〜５のいずれか１項に記載の無線通信システム。
【請求項７】
前記ＰＤＵに前記送信機の位置特定情報が含まれており、
前記第２の時刻補正部は、更に次の（ｄ）の伝送遅延時間を前記タイムスタンプに加算して前記補正時刻値を求める請求項１〜６のいずれか１項に記載の無線通信システム。
（ｄ）  位置特定情報から定まる送信機の位置と自装置である受信機の位置までの距離に応じた伝送遅延時間
【請求項８】
前記送信機と前記受信機にＯＦＤＭによる変復調方式が採用されており、
前記第１の時刻補正部が求める前記タイムスタンプの精度がＯＦＤＭ変調波のガードインターバル以下である請求項１〜７のいずれか１項に記載の無線通信システム。
【請求項９】
専用のタイムスロットが時分割で割り当てられた複数の路側通信機と、前記タイムスロット以外の時間帯だけ無線送信するのが許容された複数の移動通信機と、を備えており、
前記送信機が前記路側通信機に搭載され、前記受信機が前記路側通信機又は前記移動通信機若しくはこれらの双方に搭載されている請求項１〜８のいずれか１項に記載の無線通信システム。
【請求項１０】
送信機と受信機とを備えた無線通信システムの時刻補正方法であって、
前記送信機が、当該送信機に予め設定された次の（ａ）の送信遅延時間を自身のローカル時刻に加算したタイムスタンプを前記受信機に送信する第１のステップと、
前記受信機が、次の（ｂ）の受信遅延時間と（ｃ）の再生遅延時間との合計値を前記タイムスタンプに加算して補正時刻値を求める第２のステップと、
を含むことを特徴とする無線通信システムの時刻補正方法。
（ａ）  タイムスタンプのセット時から送信アンテナの電波送信時までの送信遅延時間
（ｂ）  電波受信時からＳＤＵ再生部へのプリアンブルの到達時までの受信遅延時間
（ｃ）  ＳＤＵ再生部へのプリアンブルの到達時からタイムスタンプの取得時までの再生遅延時間
【請求項１１】
請求項１０に記載の時刻補正方法に用いる前記送信機であって、
前記第１のステップを実行することを特徴とする送信機。
【請求項１２】
請求項１０に記載の時刻補正方法に用いる前記送信機の時刻補正部であって、
前記第１のステップを実行することを特徴とする送信機の時刻補正部。
【請求項１３】
請求項１０に記載の時刻補正方法に用いる前記受信機であって、
前記第２のステップを実行することを特徴とする受信機。
【請求項１４】
請求項１０に記載の時刻補正方法に用いる前記受信機の時刻補正部であって、
前記第２のステップを実行することを特徴とする受信機の時刻補正部。
【手続補正２】
【補正対象書類名】明細書
【補正対象項目名】００１３
【補正方法】変更
【補正の内容】
【００１３】
（１）  本発明の第１の無線通信システムは、送信機と受信機とを備えた無線通信システムであって、前記送信機は、タイムスタンプを付したＰＤＵを生成するＰＤＵ生成部と、前記ＰＤＵにより搬送波を変調して送信アンテナから電波送信する変調送信部と、当該送信機に予め設定された次の（ａ）の送信遅延時間を自身のローカル時刻に加算して前記タイムスタンプを求める第１の時刻補正部と、を有しており、前記受信機は、受信アンテナに到達した電波信号から前記ＰＤＵを取り出す復調受信部と、前記ＰＤＵからＳＤＵと前記タイムスタンプとを再生するＳＤＵ再生部と、次の（ｂ）の受信遅延時間と（ｃ）の再生遅延時間との合計値を前記タイムスタンプに加算して補正時刻値を求める第２の時刻補正部と、を有することを特徴とする。
【手続補正３】
【補正対象書類名】明細書
【補正対象項目名】００１４
【補正方法】変更
【補正の内容】
【００１４】
（ａ） タイムスタンプのセット時から送信アンテナの電波送信時までの送信遅延時間
（ｂ） 電波受信時からＳＤＵ再生部へのプリアンブルの到達時までの受信遅延時間
（ｃ） ＳＤＵ再生部へのプリアンブルの到達時からタイムスタンプの取得時までの再生遅延時間
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
複数のリールの各々に配列された複数種類の図柄を変動させる可変表示装置を備え、１ゲームに対して所定数の賭数を設定することによりゲームが開始可能となるとともに、全リールで図柄の変動が停止して図柄の表示結果が導出されることにより１ゲームが終了し、導出された図柄の表示結果の組み合わせに応じて入賞が発生可能とされたスロットマシンであって、
遊技状態を制御する遊技制御手段と、
遊技状態に応じた演出を制御する演出制御手段と、
前記複数のリールの各々に対応して設けられ、前記リールの図柄の変動を停止させる停止操作を行なうための停止操作手段とを備え、
前記遊技制御手段は、
入賞の発生を許容するか否かを入賞種別毎に決定する事前決定手段と、
前記停止操作手段の停止操作を検出する停止操作検出手段と、
全リールで図柄を変動開始させた後、前記停止操作手段の停止操作が検出されたときに、リールに配列された図柄を単位コマとする所定の最大滑りコマ数の範囲内で停止操作に対応するリールの図柄の変動を停止させることにより、当該リールの図柄の表示結果を導出させる制御を行なう導出制御手段とを含み、
前記導出制御手段は、
１ゲーム開始後の第一停止操作に対応する第一停止リールの図柄の表示結果が導出されたときに、前記事前決定手段が入賞の発生を許容した入賞種別のうち、前記第一停止リールの図柄の表示結果と未停止リールの図柄の表示結果との組合わせにより発生し得る入賞種別を検索する入賞種別予想手段と、
前記第一停止リールの図柄の表示結果が導出されたときに、前記第一停止リールの図柄の表示結果に基づいて、前記第一停止操作に続く第二停止操作に対応して停止させる第二停止リールの図柄の滑りコマ数を特定するための滑りコマ数テーブルを作成する停止リール用滑りコマ数テーブル作成手段と、
前記入賞種別予想手段の検索結果に基づいて、前記停止リール用滑りコマ数テーブル作成手段が作成した滑りコマ数テーブルの滑りコマ数データを補正する滑りコマ数データ補正手段と、
前記第一停止リールの停止後、前記第二停止操作が検出されたときに、前記滑りコマ数データ補正手段が補正した滑りコマ数テーブルに基づいた図柄が前記第二停止リールの予め設定した基準位置に達した段階で前記第二停止リールの図柄の変動を停止させる第二停止リール停止制御手段とを含むことを特徴とする、スロットマシン。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
発電電動機とポンプ水車が機械的に結合され、発電電動機の固定子巻線が周波数変換装置を介して電力系統に接続された可変速発電電動機の運転制御装置において、
発電電動機の有効電力をその目標値とするための有効電力制御信号により前記周波数変換装置を制御する有効電力制御装置と、前記有効電力の目標値とポンプ水車の有効落差からポンプ水車出力補正信号を得、ポンプ水車の回転速度をその目標値とするための速度制御信号と前記ポンプ水車出力補正信号の和信号をポンプ水車の制御信号とする回転速度制御装置とを備える可変速発電電動機の運転制御装置。
【請求項２】
請求項1記載の可変速発電電動機の運転制御装置において、
可変速発電電動機の停止指令がされたときに、有効電力制御装置においては有効電力目標値を低減し、かつ回転速度制御装置においては速度制御信号を除外して、ポンプ水車の制御信号をポンプ水車出力補正信号で定めることを特徴とする可変速発電電動機の運転制御装置。
【請求項３】
請求項1または請求項2記載の可変速発電電動機の運転制御装置において、
前記発電電動機の有効電力目標値を、電力系統の周波数制御信号から決定して前記有効電力制御装置に与える発電機制御装置、電力系統の周波数制御信号から決定した前記有効電力目標値と検出した有効電力の差電力を求め、該差電力が大きいほど大きな補正信号を、前記ポンプ水車出力補正信号を求めるための前記有効電力の目標値に加える有効電力設定値補正回路を備えることを特徴とする可変速発電電動機の運転制御装置。
【請求項４】
発電電動機とポンプ水車が機械的に結合され、発電電動機の固定子巻線が周波数変換装置を介して電力系統に接続された可変速発電電動機の運転制御方法において、
発電過程では、前記周波数変換装置により発電電動機の有効電力をその目標値に制御し、前記ポンプ水車を前記発電電動機の有効電力の目標値に追従して制御することを特徴とする可変速発電電動機の運転制御方法。
【請求項５】
請求項4記載の可変速発電電動機の運転制御方法において、
発電過程では、前記発電電動機の有効電力の目標値に追従して制御する信号に、前記ポンプ水車の回転速度をその目標値とするための速度制御信号を加味することを特徴とする可変速発電電動機の運転制御方法。
【請求項６】
請求項5記載の可変速発電電動機の運転制御方法において、
停止過程では、前記ポンプ水車を前記発電電動機の有効電力の目標値に追従して制御し、前記ポンプ水車の回転速度をその目標値とするための速度制御信号を加味しないことを特徴とする可変速発電電動機の運転制御方法。
【請求項７】
請求項4乃至請求項6のいずれかに記載の可変速発電電動機の運転制御方法において、
前記発電電動機の有効電力目標値を、電力系統の周波数制御信号から決定し、電力系統の周波数制御信号から決定した前記有効電力目標値と検出した有効電力の差電力が大きいほど大きな補正を、前記ポンプ水車の追従制御に与えることを特徴とする可変速発電電動機の運転制御方法。
【手続補正２】
【補正対象書類名】明細書
【補正対象項目名】００１８
【補正方法】変更
【補正の内容】
【００１８】
上記目的を達成するために、本発明では発電電動機とポンプ水車が機械的に結合され、発電電動機の固定子巻線が周波数変換装置を介して電力系統に接続された可変速発電電動機の運転制御装置において、発電電動機の有効電力をその目標値とするための有効電力制御信号により周波数変換装置を制御する有効電力制御装置と、有効電力の目標値とポンプ水車の有効落差からポンプ水車出力補正信号を得、ポンプ水車の回転速度をその目標値とするための速度制御信号とポンプ水車出力補正信号の和信号をポンプ水車の制御信号とする回転速度制御装置とを備える。
【手続補正３】
【補正対象書類名】明細書
【補正対象項目名】００２０
【補正方法】変更
【補正の内容】
【００２０】
また、発電電動機の有効電力目標値を、電力系統の周波数制御信号から決定して有効電力制御装置に与える発電機制御装置、電力系統の周波数制御信号から決定した有効電力目整標値と検出した有効電力の差電力を求め、差電力が大きいほど大きな補正信号を、ポンプ水車出力補正信号を求めるための有効電力の目標値に加える有効電力設定値補正回路を備える。
【手続補正４】
【補正対象書類名】明細書
【補正対象項目名】００２１
【補正方法】変更
【補正の内容】
【００２１】
上記目的を達成するために、本発明では発電電動機とポンプ水車が機械的に結合され、発電電動機の固定子巻線が周波数変換装置を介して電力系統に接続された可変速発電電動機の運転制御方法において、発電過程では、周波数変換装置により発電電動機の有効電力をその目標値に制御し、ポンプ水車を発電電動機の有効電力の目標値に追従して制御する
【手続補正５】
【補正対象書類名】明細書
【補正対象項目名】００２２
【補正方法】変更
【補正の内容】
【００２２】
また、発電過程では、発電電動機の有効電力の目標値に追従して制御する信号に、ポンプ水車の回転速度をその目標値とするための速度制御信号を加味する。
【手続補正６】
【補正対象書類名】明細書
【補正対象項目名】００２３
【補正方法】変更
【補正の内容】
【００２３】
また、停止過程では、ポンプ水車を発電電動機の有効電力の目標値に追従して制御し、ポンプ水車の回転速度をその目標値とするための速度制御信号を加味しない。
【手続補正７】
【補正対象書類名】明細書
【補正対象項目名】００２４
【補正方法】変更
【補正の内容】
【００２４】
また、発電電動機の有効電力目標値を、電力系統の周波数制御信号から決定し、電力系統の周波数制御信号から決定した有効電力目標値と検出した有効電力の差電力が大きいほど大きな補正を、ポンプ水車の追従制御に与える。
【手続補正８】
【補正対象書類名】明細書
【補正対象項目名】００５１
【補正方法】変更
【補正の内容】
【００５１】
101:有効電力設定器 Pd:システム端有効電力検出器 CP:有効電力制御装置CC:変換器出力制御装置 FC:一次周波数変換器 CS:回転速度調節器 106:回転速度調節器 107:信号切替器 108:水車出力補正演算装置 P/W:ポンプ水車 G/M:同期発電電動機 CB:遮断器 301:増幅器 302:比較器 303:切替器
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過したことに基づいて、各々を識別可能な複数種類の識別情報の可変表示を行い表示結果を導出する可変表示手段を備え、識別情報の表示結果として予め定められた特定表示結果が導出されたときに、遊技者にとって有利な特定遊技状態に制御する遊技機であって、
遊技者が操作可能な操作手段と、
前記始動領域を遊技媒体が通過したにもかかわらず未だ開始されていない識別情報の可変表示について、前記特定表示結果とするか否かを決定するための情報を所定の上限記憶数の範囲内で保留情報として記憶可能な保留記憶手段と、
識別情報の可変表示を開始するときに前記保留記憶手段から読み出した保留情報に基づいて、当該識別情報の表示結果を前記特定表示結果とするか否かを決定する開始時決定手段と、
前記開始時決定手段の決定結果に基づいて、識別情報の可変表示を実行する可変表示実行手段と、
前記始動領域を遊技媒体が通過して前記保留記憶手段に保留情報が新たに記憶されたことに基づいて、当該新たに記憶された保留情報に対応する保留表示を行う保留表示手段と、
前記開始時決定手段による決定前に、前記始動領域を遊技媒体が通過したことに基づいて前記特定表示結果となるか否かを判定する開始前判定手段と、
前記開始前判定手段の判定結果に基づいて、前記保留表示手段に表示される前記保留表示の表示態様を通常態様とは異なる特定態様にすることにより前記特定表示結果が導出される可能性があることを予告する予告演出を、実行するか否かを決定する予告演出決定手段と、
前記予告演出決定手段で予告演出を実行すると決定されたことに基づいて予め用意された複数種類の操作条件のうちいずれかを選択して提示する操作条件提示手段と、
前記操作条件提示手段で提示された操作条件が達成されたか否かを判定する提示条件達成判定手段と、
前記提示条件達成判定手段により操作条件が達成されたと判定されたことに基づいて前記予告演出を実行する予告演出実行手段と、を備え、
前記操作条件提示手段は、保留情報が読み出されるまでの期間に応じて提示する操作条件を選択する、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技領域に設けられた始動領域を遊技媒体が通過したことに基づいて、各々を識別可能な複数種類の識別情報（例えば特別図柄や飾り図柄など）の可変表示を行い表示結果を導出する可変表示手段（例えば第１及び第２特別図柄表示装置４Ａ、４Ｂや画像表示装置５など）を備え、識別情報の表示結果として予め定められた特定表示結果（例えば大当り図柄となる特別図柄や大当り組合せの確定飾り図柄など）が導出されたときに、遊技者にとって有利な特定遊技状態に制御する遊技機（例えばパチンコ遊技機１など）であって、
遊技者が操作可能な操作手段と、
前記始動領域を遊技媒体が通過したにもかかわらず未だ開始されていない識別情報の可変表示について、前記特定表示結果とするか否かを決定するための情報を所定の上限記憶数（例えば第１、第２特図保留記憶数がそれぞれ「４」以下など）の範囲内で保留情報として記憶可能な保留記憶手段（例えば第１、第２特図保留記憶部１５１Ａ、１５１Ｂなど）と、
識別情報の可変表示を開始するときに前記保留記憶手段から読み出した保留情報に基づいて、当該識別情報の表示結果を前記特定表示結果とするか否かを決定する開始時決定手段（例えばステップＳ２４０の処理を実行するＣＰＵ１０３など）と、
前記開始時決定手段の決定結果に基づいて、識別情報の可変表示を実行する可変表示実行手段（例えばステップＳ２７３の処理を実行した後、ステップＳ１１２、Ｓ１１３の処理を実行するＣＰＵ１０３など）と、
前記始動領域を遊技媒体が通過して前記保留記憶手段に保留情報が新たに記憶されたことに基づいて、当該新たに記憶された保留情報に対応する保留表示を行う保留表示手段（例えば第１、第２保留表示器２５Ａ、２５Ｂなど）と、
前記開始時決定手段による決定前に、前記始動領域を遊技媒体が通過したことに基づいて前記特定表示結果となるか否かを判定する開始前判定手段（例えばステップＳ２１２の入賞時乱数値判定処理を実行するＣＰＵ１０３など）と、
前記開始前判定手段の判定結果に基づいて、前記保留表示手段に表示される前記保留表示の表示態様を通常態様とは異なる特定態様にすることにより前記特定表示結果が導出される可能性があることを予告する予告演出（例えば保留表示の特定態様での表示など）を、実行するか否かを決定する予告演出決定手段と（例えばステップＳ１６１の先読み予告決定処理を実行する演出制御用ＣＰＵ１２０など）、
前記予告演出決定手段で予告演出を実行すると決定されたことに基づいて予め用意された複数種類の操作条件のうちいずれかを選択して提示する操作条件提示手段（例えばステップＳ７１３の処理を実行する演出制御用ＣＰＵ１２０など）と、
前記操作条件提示手段で提示された操作条件が達成されたか否かを判定する提示条件達成判定手段（例えばステップＳ７５６の処理を実行する演出制御用ＣＰＵ１２０など）と、
前記提示条件達成判定手段により操作条件が達成されたと判定されたことに基づいて前記予告演出を実行する予告演出実行手段（例えばステップＳ７５７の処理を実行する演出制御用ＣＰＵ１２０など）と、を備え、
前記操作条件提示手段は、保留情報が読み出されるまでの期間に応じて提示する操作条件を選択する、
ことを特徴とする。
【手続補正３】
【補正対象書類名】明細書
【補正対象項目名】００１０
【補正方法】変更
【補正の内容】
【００１０】
このような構成によれば、予告演出を実行すると決定された保留情報が新たに保留記憶手段に記憶された時に保留記憶手段に記憶されている保留情報の数に応じて当該保留記憶が読み出されるまでの期間が判定され、操作条件が選択される。したがって複雑な処理によらずに当該期間の長さに合わせた操作条件を選択することができ、簡単な処理により遊技者の操作意欲を向上させることができる。
【手続補正４】
【補正対象書類名】明細書
【補正対象項目名】００１５
【補正方法】変更
【補正の内容】
【００１５】
（５）上記（１）から（４）のいずれかの遊技機において、
前記操作条件提示手段は、前記開始前判定手段で前記識別情報の表示結果が前記特定表示結果となると判定された場合、操作により所定の条件を達成する可能性が低い操作条件を前記開始時決定手段で前記識別情報の表示結果が前記特定表示結果とならないと判定された場合よりも高い確率で選択するようにしてもよい（例えばステップＳ７１３の処理を実行する演出制御用ＣＰＵ１２０など）。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
遊技の進行を司る主遊技制御部と、
情報出力制御を司る副遊技制御部と、
操作者によって操作可能なスイッチ部材と
を備え、
副遊技制御部は、
消費電力に関する状態として、通常状態と消費電力低減状態とを有し、
前記スイッチ部材の操作態様に応じて、通常状態及び消費電力低減状態のいずれかに切り替える消費電力切替手段と、
消費電力低減状態の場合、通常状態と比較し、消費電力を低減させ得るよう制御する消費電力制御手段と、
副遊技制御部が電断状態から電断復帰したか否かを判定する電源投入判定手段と
を備え、
消費電力切替手段は、
電源投入判定手段による判定が肯定的となった時点でのみ、又は、当該判定が肯定的となった後の所定期間内においてのみ、前記スイッチ部材の操作態様を有効なものとする
ことを特徴とする遊技機。
【手続補正２】
【補正対象書類名】明細書
【補正対象項目名】０００６
【補正方法】変更
【補正の内容】
【０００６】
このような状況下、遊技機が消費する電力を低減するよう努める必要があるが、単純に消費電力を低減するよう構成するのみでは、利便性等が著しく低下してしまう恐れがある。
【手続補正３】
【補正対象書類名】明細書
【補正対象項目名】０００７
【補正方法】変更
【補正の内容】
【０００７】
本態様に係る遊技機は、
遊技の進行を司る主遊技制御部と、
情報出力制御を司る副遊技制御部と、
操作者によって操作可能なスイッチ部材と
を備え、
副遊技制御部は、
消費電力に関する状態として、通常状態と消費電力低減状態とを有し、
前記スイッチ部材の操作態様に応じて、通常状態及び消費電力低減状態のいずれかに切り替える消費電力切替手段と、
消費電力低減状態の場合、通常状態と比較し、消費電力を低減させ得るよう制御する消費電力制御手段と、
副遊技制御部が電断状態から電断復帰したか否かを判定する電源投入判定手段と
を備え、
消費電力切替手段は、
電源投入判定手段による判定が肯定的となった時点でのみ、又は、当該判定が肯定的となった後の所定期間内においてのみ、前記スイッチ部材の操作態様を有効なものとする
ことを特徴とする遊技機である。
＜付記＞
尚、本態様とは異なる別態様について以下に列記しておくが、これらには何ら限定されることなく実施することが可能である。
本別態様（１）に係る遊技機（例えば、ぱちんこ遊技機、回胴式遊技機）は、
遊技の進行を司る主遊技制御部（例えば、ぱちんこ遊技機における主制御装置１０００、回胴式遊技機における主制御装置１０００）と、
情報出力制御を司る副遊技制御部（例えば、ぱちんこ遊技機におけるサブメイン制御基板２３２０、回胴式遊技機におけるサブメイン制御装置３０００）と
を備え、
副遊技制御部（例えば、ぱちんこ遊技機におけるサブメイン制御基板２３２０、回胴式遊技機におけるサブメイン制御装置３０００）は、
消費電力に関する状態として、通常状態と消費電力低減状態とを有し、
通常状態及び消費電力低減状態のいずれかに切り替える消費電力切替手段（例えば、ぱちんこ遊技機における節電モード切換制御手段２３２６、回胴式遊技機における節電モード切換制御手段３３００）と、
消費電力低減状態の場合、通常状態と比較し、消費電力を低減させるよう制御する消費電力制御手段（例えば、ぱちんこ遊技機における演出動作制御手段２３２５、回胴式遊技機における演出動作節電モード切換制御手段３３００）と、
副遊技制御部（例えば、ぱちんこ遊技機におけるサブメイン制御基板２３２０、回胴式遊技機におけるサブメイン制御装置３０００）が電断状態から電断復帰したか否かを判定する電源投入判定手段（例えば、ぱちんこ遊技機における節電モード切換制御手段２３２６、回胴式遊技機における節電モード切換制御手段３３００）と
を備え、
消費電力切替手段（例えば、ぱちんこ遊技機における節電モード切換制御手段２３２６、回胴式遊技機における節電モード切換制御手段３３００）は、
電源投入判定手段（例えば、ぱちんこ遊技機における節電モード切換制御手段２３２６、回胴式遊技機における節電モード切換制御手段３３００）による判定が肯定的となったことを契機として、前記通常状態又は前記消費電力低減状態のいずれかに切り替え得る
ことを特徴とする遊技機である。
【手続補正４】
【補正対象書類名】明細書
【補正対象項目名】０００８
【補正方法】変更
【補正の内容】
【０００８】
本態様に係る遊技機によれば、通常状態又は消費電力低減状態のいずれかに切り替え可能に構成されている状況下、利便性等が著しく低下してしまうことを回避できるという効果を奏する。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
遊技の進行を司る主遊技制御部と、
情報出力制御を司る副遊技制御部と、
操作者によって操作可能なスイッチ部材と
を備え、
副遊技制御部は、
消費電力に関する状態として、通常状態と消費電力低減状態とを有し、
前記スイッチ部材の操作態様に応じて、通常状態及び消費電力低減状態のいずれかに切り替える消費電力切替手段と、
消費電力低減状態の場合、通常状態と比較し、消費電力を低減させ得るよう制御する消費電力制御手段と、
副遊技制御部が電断状態から電断復帰したか否かを判定する電源投入判定手段と
を備え、
消費電力切替手段は、
電源投入判定手段による判定が肯定的となった時点でのみ、又は、当該判定が肯定的となった後の所定期間内においてのみ、前記スイッチ部材の操作態様を有効なものとし、
副遊技制御部は、主遊技制御部側での遊技の進行状況に応じた演出を実行可能に構成されており、消費電力切替手段により前記スイッチ部材の操作態様を有効なものとしない場合であっても、前記スイッチ部材の操作態様に応じて、演出の実行態様を変化可能に構成されている
ことを特徴とする遊技機。
【手続補正２】
【補正対象書類名】明細書
【補正対象項目名】０００６
【補正方法】変更
【補正の内容】
【０００６】
このような状況下、遊技機が消費する電力を低減するよう努める必要があるが、単純に消費電力を低減するよう構成するのみでは、利便性等が著しく低下してしまう恐れがある。
【手続補正３】
【補正対象書類名】明細書
【補正対象項目名】０００７
【補正方法】変更
【補正の内容】
【０００７】
本態様に係る遊技機は、
遊技の進行を司る主遊技制御部と、
情報出力制御を司る副遊技制御部と、
操作者によって操作可能なスイッチ部材と
を備え、
副遊技制御部は、
消費電力に関する状態として、通常状態と消費電力低減状態とを有し、
前記スイッチ部材の操作態様に応じて、通常状態及び消費電力低減状態のいずれかに切り替える消費電力切替手段と、
消費電力低減状態の場合、通常状態と比較し、消費電力を低減させ得るよう制御する消費電力制御手段と、
副遊技制御部が電断状態から電断復帰したか否かを判定する電源投入判定手段と
を備え、
消費電力切替手段は、
電源投入判定手段による判定が肯定的となった時点でのみ、又は、当該判定が肯定的となった後の所定期間内においてのみ、前記スイッチ部材の操作態様を有効なものとし、
副遊技制御部は、主遊技制御部側での遊技の進行状況に応じた演出を実行可能に構成されており、消費電力切替手段により前記スイッチ部材の操作態様を有効なものとしない場合であっても、前記スイッチ部材の操作態様に応じて、演出の実行態様を変化可能に構成されている
ことを特徴とする遊技機である。
＜付記＞
尚、本態様とは異なる別態様について以下に列記しておくが、これらには何ら限定されることなく実施することが可能である。
本別態様（１）に係る遊技機（例えば、ぱちんこ遊技機、回胴式遊技機）は、
遊技の進行を司る主遊技制御部（例えば、ぱちんこ遊技機における主制御装置１０００、回胴式遊技機における主制御装置１０００）と、
情報出力制御を司る副遊技制御部（例えば、ぱちんこ遊技機におけるサブメイン制御基板２３２０、回胴式遊技機におけるサブメイン制御装置３０００）と
を備え、
主遊技制御部（例えば、ぱちんこ遊技機における主制御装置１０００、回胴式遊技機における主制御装置１０００）は、
ラム（例えば、ぱちんこ遊技機における主制御装置１０００に設けられたＲＡＭ、回胴式遊技機における主制御装置１０００に設けられたＲＡＭ）と、
ラムクリア手段（例えば、ぱちんこ遊技機における主制御装置１０００、回胴式遊技機における主制御装置１０００）と、
ラムクリア手段（例えば、ぱちんこ遊技機における主制御装置１０００、回胴式遊技機における主制御装置１０００）によりラムクリアされた場合、ラムクリアされた旨の情報を副遊技制御部（例えば、ぱちんこ遊技機におけるサブメイン制御基板２３２０、回胴式遊技機におけるサブメイン制御装置３０００）に送信する情報送信手段（例えば、ぱちんこ遊技機における情報送信制御手段１３００、回胴式遊技機における情報送信制御手段１２００）と
を備え、
副遊技制御部（例えば、ぱちんこ遊技機におけるサブメイン制御基板２３２０、回胴式遊技機におけるサブメイン制御装置３０００）は、
消費電力に関する状態として、通常状態と消費電力低減状態とを有し、
通常状態及び消費電力低減状態のいずれかに切り替える消費電力切替手段（例えば、ぱちんこ遊技機における節電モード切換制御手段２３２６、回胴式遊技機における節電モード切換制御手段３３００）と、
消費電力低減状態の場合、通常状態と比較し、消費電力を低減させるよう制御する消費電力制御手段（例えば、ぱちんこ遊技機における演出動作制御手段２３２５、回胴式遊技機における演出動作制御手段情報送信制御手段３２００）と、
主遊技制御部（例えば、ぱちんこ遊技機における主制御装置１０００、回胴式遊技機における主制御装置１０００）からの情報を受信する情報受信手段（例えば、ぱちんこ遊技機における表示情報受信手段２３２１、回胴式遊技機における情報受信手段３１００）と
を備え、
消費電力切替手段（例えば、ぱちんこ遊技機における節電モード切換制御手段２３２６、回胴式遊技機における節電モード切換制御手段３３００）は、
ラムクリアされた旨の情報を主遊技制御部（例えば、ぱちんこ遊技機における主制御装置１０００、回胴式遊技機における主制御装置１０００）から受信したことを条件として、前記通常状態又は前記消費電力低減状態のいずれかに切り替え得る
ことを特徴とする遊技機である。
【手続補正４】
【補正対象書類名】明細書
【補正対象項目名】０００８
【補正方法】変更
【補正の内容】
【０００８】
本態様に係る遊技機によれば、通常状態又は消費電力低減状態のいずれかに切り替え可能に構成されている状況下、利便性等が著しく低下してしまう事態を回避することができるという効果を奏する。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止区画領域決定手段は、
前記停止指令が発生した場合、前記到達区画領域把握手段の把握結果に基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定する比較判定手段と、
前記比較判定手段の判定結果に基づいて、前記停止区画領域を導出する停止区画領域導出手段と
を備え、
前記停止情報導出手段は、
前記区画領域が前記規定位置に到達した場合に前記有効位置に到達する到達絵柄を区画領域毎に把握する到達絵柄把握手段と、
前記到達絵柄把握手段の把握した到達絵柄と前記役の抽選結果に基づいて入賞成立の可能性を区画領域毎に判断する入賞可能性判断手段と、
前記到達絵柄把握手段の把握結果に基づくことなく所定の判断を行う所定判断手段と
を備え、
前記停止情報記憶手段には、前記入賞可能性判断手段の判断結果を示す入賞可能性情報を記憶する入賞可能性記憶領域を設けるとともに、前記所定判断手段の判断結果を示す所定判断情報を記憶する所定判断情報記憶領域を前記入賞可能性記憶領域の一部としたことを特徴とする遊技機。
【請求項２】
前記所定判断手段は、前記役の抽選結果が複数の当選役を含む特定結果であるか否かを判断することを特徴とする請求項１に記載の遊技機。
【請求項３】
前記役の種別として、入賞が成立した場合に遊技者に有利な特別遊技状態に移行する特典が付与される特別役種と、入賞が成立した場合に遊技媒体を払い出す特典が付与される払出役種とを有し、前記特定結果は、前記特別役種に当選するとともに、前記払出役種の１種である第１払出役種及び第２払出役種に少なくとも当選となる結果であることを特徴とする請求項２に記載の遊技機。
【請求項４】
前記停止情報導出手段は、前記区画領域毎に優先度を導出する優先度導出手段を備え、前記停止情報記憶手段には、前記優先度導出手段の導出結果を示す優先度情報を記憶する優先度記憶領域を、前記入賞可能性記憶領域より下位側に設け、前記優先度導出手段を、前記役の抽選結果が前記第１払出役種及び前記第２払出役種に当選であって前記周回体の全てが周回している場合、第１周回体について前記第１払出役種入賞が優先して成立し得るよう前記優先度を導出し、第２周回体について前記第２払出役種入賞が優先して成立し得るよう前記優先度を導出する構成としたことを特徴とする請求項３に記載の遊技機。
【請求項５】
前記停止情報記憶手段には、前記入賞可能性記憶領域として、前記特別役種に関する前記入賞可能性判断手段の判断結果を示す第１記憶領域と、前記払出役種に関する前記入賞可能性判断手段の判断結果を示す第２記憶領域と、をその記憶領域の少なくとも一部が異なるように設け、前記所定判断情報記憶領域を、前記第１記憶領域と同一記憶領域としたことを特徴とする請求項４に記載の遊技機。
【請求項６】
前記入賞可能性判断手段を、前記所定判断手段が前記所定の判断を行った後に前記入賞成立の可能性を判断する構成とするとともに、前記停止情報記憶手段を、前記所定判断情報記憶領域に第１所定判断情報が記憶された場合、前記入賞可能性判断手段の判断結果に関わらず、前記所定判断情報記憶領域に記憶される情報が前記第１所定判断情報となる構成としたことを特徴とする請求項１乃至請求項５のいずれかに記載の遊技機。
【手続補正書】
【提出日】平成25年3月26日(2013.3.26)
【手続補正１】
【補正対象書類名】明細書
【補正対象項目名】０００７
【補正方法】変更
【補正の内容】
【０００７】
（１）上記目的を達成するため、本発明に係る遊技機は、
各々を識別可能な複数種類の識別情報（例えば飾り図柄など）の可変表示を複数の可変表示部（例えば、飾り図柄表示エリア５Ｌ、５Ｃ、５Ｒなど）それぞれにおいて開始して表示結果を導出し、予め定められた特定表示結果（例えば大当り組合せの確定飾り図柄など）が導出されたときに、遊技者にとって有利な特定遊技状態（例えば大当り遊技状態など）になる遊技機（例えばパチンコ遊技機１など）であって、
前記特定遊技状態にするか否かを前記表示結果の導出前に決定する事前決定手段（例えばＣＰＵ１０３がステップＳ２４０の処理を実行する部分など）と、
前記事前決定手段の決定結果に基づいて、複数種類の演出のうちのいずれかの種類の演出を実行可能な演出実行手段（例えばＣＰＵ１０３がステップＳ２７１、Ｓ２７３の処理を実行する部分、及び、演出制御用ＣＰＵ１２０がステップＳ５０３、Ｓ５０４、Ｓ５０６、Ｓ５０７、Ｓ５０８等の処理やステップＳ４６３の処理を実行する部分など）と、
前記演出実行手段が前記複数種類の演出のうちの第１の種類の演出（例えば、「擬似連」など）を実行する場合に、前記複数の可変表示部のうちの第１の可変表示部（例えば、飾り図柄表示エリア５Ｃなど）に第１の画像（例えば、実行演出予告画像ＴＺなど）を表示することで、前記第１の演出が実行される可能性があることを予告する第１の予告表示を実行し、前記演出実行手段が前記複数種類の演出のうちの前記第１の種類の演出とは異なる第２の種類の演出（例えば、「滑り」など）を実行する場合に、前記複数の可変表示部のうちの前記第１の可変表示部とは異なる第２の可変表示部（例えば、飾り図柄表示エリア５Ｒなど）に第２の画像（例えば、実行演出予告画像ＴＺなど）を表示することで、前記第２の種類の演出が実行される可能性があることを予告する第２の予告表示を実行する予告実行手段（例えば、演出制御用ＣＰＵ１２０がステップＳ５０９の処理やステップＳ４６５の処理を実行することで、図４３及び４４のパターン１から４のいずれかを選択し、実行する部分など）と、
を備える。
【手続補正２】
【補正対象書類名】明細書
【補正対象項目名】００１２
【補正方法】変更
【補正の内容】
【００１２】
上記構成によれば、その後に実行される演出の候補として上記の演出があるので、遊技の興趣が向上する。
【手続補正３】
【補正対象書類名】明細書
【補正対象項目名】００１３
【補正方法】変更
【補正の内容】
【００１３】
（４）上記（１）又は（２）の遊技機において、
前記複数種類の演出のうちのいずれかは、前記表示結果の導出前に、前記複数の可変表示部の少なくとも１つにおいて、前記識別情報を停止させた後に再度可変表示する演出である（例えば、滑りの演出（図４３のパターン３）など）、
ようにしてもよい。
【手続補正４】
【補正対象書類名】明細書
【補正対象項目名】００１４
【補正方法】変更
【補正の内容】
【００１４】
上記構成によれば、その後に実行される演出の候補として上記の演出があるので、遊技の興趣が向上する。
【手続補正５】
【補正対象書類名】明細書
【補正対象項目名】００１５
【補正方法】変更
【補正の内容】
【００１５】
（５）上記（１）又は（２）の遊技機において、
前記複数種類の演出のうちのいずれかは、前記表示結果の導出前に、前記複数の可変表示部すべてにおいて、前記識別情報を停止させた後に再度可変表示する演出である（例えば、擬似連の演出（図４３のパターン２）など）、
ようにしてもよい。
【手続補正６】
【補正対象書類名】明細書
【補正対象項目名】００１６
【補正方法】変更
【補正の内容】
【００１６】
上記構成によれば、その後に実行される演出の候補として上記の演出があるので、遊技の興趣が向上する。
【手続補正７】
【補正対象書類名】明細書
【補正対象項目名】００１９
【補正方法】変更
【補正の内容】
【００１９】
（７）上記（１）から（６）のいずれかの遊技機において、
前記予告実行手段は、前記事前決定手段の決定結果に基づいて、前記第１の画像を移動させずに前記第１の可変表示部に表示する第１の表示を行うか、前記第１の画像を前記複数の可変表示部のうちの前記第１の可変表示部とは異なる他の可変表示部に表示してから前記第１の可変表示部に表示する第２の表示を行うことで、前記第１の予告表示を行う（例えば、演出制御用ＣＰＵ１２０がステップＳ５０９の処理やステップＳ４６５の処理を実行することで、図４４のパターン４を選択し、実行する部分など）、
ようにしてもよい。
【手続補正８】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を複数の可変表示部それぞれにおいて開始して表示結果を導出し、予め定められた特定表示結果が導出されたときに、遊技者にとって有利な特定遊技状態になる遊技機であって、
前記特定遊技状態にするか否かを前記表示結果の導出前に決定する事前決定手段と、
前記事前決定手段の決定結果に基づいて、複数種類の演出のうちのいずれかの種類の演出を実行可能な演出実行手段と、
前記演出実行手段が前記複数種類の演出のうちの第１の種類の演出を実行する場合に、前記複数の可変表示部のうちの第１の可変表示部に第１の画像を表示することで、前記第１の演出が実行される可能性があることを予告する第１の予告表示を実行し、前記演出実行手段が前記複数種類の演出のうちの前記第１の種類の演出とは異なる第２の種類の演出を実行する場合に、前記複数の可変表示部のうちの前記第１の可変表示部とは異なる第２の可変表示部に第２の画像を表示することで、前記第２の種類の演出が実行される可能性があることを予告する第２の予告表示を実行する予告実行手段と、
を備えることを特徴とする遊技機。